(57)【要約】【目的】  ケーソンの目地が変位した場合、それに追従して遮水状態が追従できる変位幅に限度があるという問題がある。特に、ケーソンの不等沈下等による移動は垂直ではなく傾いて移動する。そのために目地の変位は平行に変位するのではなく斜めに変位することになり、そうなると長筒は変形して追従することができないために対面のケーソン壁への密着が全長わたって得られず、上下どちらかに生じた目地幅の広い方に隙間が生じてしまうという問題がある。【構成】  連続配置したケーソンの目地を構成する対向する側壁に上下方向に溝を形成し、その溝の開口をスリット状に狭くし、両側にこの溝内に納まる太さで、かつ開口から抜けない径を有する係止部を形成した目地幅より十分に広い幅を有する弾性材製の遮水膜を設け、その遮水膜の係止部を上記対向するケーソンのそれぞれの溝に嵌めて目地を閉じ、目地および溝の隙間に充填材を注入したことを特徴とする。【選択図】        図１
2005146659.tif 000002
【特許請求の範囲】
【請求項１】
連続配置したケーソンやＬ型ブロック等の構造物の目地を構成する対向する側壁に上下方向に溝を形成し、その溝の開口をスリット状に狭くし、両側の側壁に形成された溝内に納まる形状で、かつ開口から抜け出さない寸法を有する係止部を形成した目地幅より十分に広い幅を有する弾性材製の遮水膜を設け、その遮水膜の係止部を上記対向する構造物のそれぞれの溝に嵌めて目地を閉じたことを特徴とする目地の遮水構造。
【請求項２】
連続配置したケーソンやＬ型ブロック等の構造物の目地を挟む外側壁および／もしくは内側壁に上下方向に溝を形成し、その溝の開口をスリット状に狭くし、両側の側壁に形成された溝内に納まる形状で、かつ開口から抜け出さない寸法を有する係止部を形成した目地幅より十分に広い幅を有する弾性材製の遮水膜を設け、その遮水膜の係止部を上記対向する構造物のそれぞれの溝に嵌めて目地を閉じたことを特徴とする目地の遮水構造。
【請求項３】
請求項１もしくは請求項２において、係止部が溝内に納まり、かつ上記開口から抜け出さない形状であることを特徴とする目地の遮水構造。    
【請求項４】
請求項１もしくは請求項２において、遮水膜を受圧膜とその外側にその受圧膜より幅を広くした変位膜との多重構造としたことを特徴とする目地の遮水構造。
【請求項５】
請求項１もしくは請求項２において、溝を構造物本体内に埋設したことを特徴とする目地の遮水構造。
【請求項６】
請求項１もしくは請求項２において、溝を構造物の壁面に突設したことを特徴とする目地の遮水構造。
【発明の詳細な説明】
【技術分野】
【０００１】
本発明は、ケーソンやＬ型ブロック等の海（水）域用の構造物の目地の遮水構造に関する。
【背景技術】
【０００２】
海域等に遮蔽区域を構築する廃棄物処分場や護岸構造等の構造物において、コンクリート製や鋼鉄製、鋼鉄やコンクリートを用いたハイブリッド製のケーソンやＬ型ブロック等の構造物を連続させて遮蔽区域を構築する工法がある。このような工法の場合、構造物は地盤変動や不等沈下等によって隣接する構造物間の目地間隔が変位して遮水機能が失われることがある。
【０００３】
そこで、目地間隔の変位に対応する遮水構造の従来例として、隣り合うケ−ソン間の両端部付近において一方のケ−ソンの妻壁に固定された２本の長筒と、これら長筒の間の目地内に充填されたアスファルト混合物からなる不透水壁層から構成される構造がある（特許文献１）。
【特許文献１】特開２００２ー１６７７７２号公報
【発明の開示】
【発明が解決しようとする課題】
【０００４】
このような従来技術によると、目地内に多くの長筒を取り付けなければならないことになり、その取り付け作業はケ−ソンの設置現場の海域で行うことができないためにケーソンの設置前に陸上で取り付けておくことになる。その場合、ケーソンの設置作業の際にケーソン同志が衝突することがあり、その際に長筒がつぶされて損傷することがある。
また、ケーソンの目地間隔が変位した場合、それに追従できる範囲は長筒の径で決まってしまい、対応できる変位幅に追従できる長筒の径には限度があり、それによって追従できる変位幅に限度があるという問題がある。
【０００５】
特に、ケーソンの不等沈下等による移動は垂直ではなく傾いて移動することが一般であり、そのために目地の変位は平行に変位するのではなく斜めに変位することになる。そうなると長筒は変形して追従することができないために対面のケーソン壁への密着が全長わたって得られず、上下どちらかに生じた目地幅の広い方に隙間が生じてしまうという問題がある。
【課題を解決するための手段】
【０００６】
そこで本発明は、連続配置したケーソンやＬ型ブロック等の構造物の目地を構成する対向する側壁に上下方向に溝を形成し、その溝の開口をスリット状に狭くし、両側にこの溝内に納まる形状で、かつ開口から抜け出さない寸法を有する係止部を形成した目地幅より十分に広い幅を有する弾性材製の遮水膜を設け、その遮水膜の係止部を上記対向する構造物のそれぞれの溝に嵌めて目地を閉じ、目地および溝の隙間に充填材を注入したことを特徴とする。
【発明の効果】
【０００７】
以上の本発明によると、構造物の不等沈下等によって目地間隔が大きく変位しても遮水機能を維持し続けることができる効果を有する。
また、構造物が傾いて不等沈下してその目地の変位が平行でなく傾いて上下の間隔が異なる幅となっても、遮水機能に変化が出ない効果を有する。
さらに、遮水膜を、構造物の設置してからの後付けとしたことにより、構造物設置時や運搬時に遮水構造を破壊する等の事故がなく、確実な遮水機能を得ることができる効果を有する。
【実施例】
【０００８】
以下に本発明の実施例を図面を用いて説明する。
第１実施例
図１は平面説明図、図２は要部拡大説明図である。
図において、１は構造物であるコンクリート製のケーソンであり、その互いに対向する側壁２の前後の一方もしくは両方、本実施例では両方のそれぞれの側壁２に対向するように上下方向全長にわたって溝３を形成し、その溝３は開口４をスリット状に狭くしておき、その断面形状は円形、湾状形、矩形、多角形等どのような形状でもよい。本実施例では円形としてある。
【０００９】
本実施例では構造物をコンクリート製のケーソンとしたことにより、本体の成型時にこの溝３も成型したもので、例えば、開口４に該当するスリットを有する鋼管や合成樹脂製のパイプ５を設置して成型することにより形成することができる。また、このようなパイプ状の型を入れて成型してもよい。さらには、後加工として、削孔して形成してもよい。
なお、開口４を多少目地の開放側に向けて位置させておくと、後述する遮水膜の係止部を溝３に嵌めたときに遮水膜の係止部の基部の角度に無理がかからなくて具合がよい。
【００１０】
６はゴムや合成樹脂等の弾性材製の遮水膜であり、上記ケーソン間の目地幅より十分に広く、基礎地盤の不等沈下によってケーソンに生じる目地幅の変位に対応することができる程度の幅で目地と同じ長さの寸法である。なお、必要に応じてこの遮水膜６は図３に示す如く、天然繊維、合成繊維もしくは金属繊維等による織布や不織布による応力材６ａを積層もしくは単層状態で一体に埋設した構造としておくとよい。
【００１１】
このような遮水膜６は、その両側に沿って係止部７が形成されている。この係止部７は、上記溝３内に納まり、かつ上記開口４から抜けない形状および寸法で中実状体や中空状体である。
以上の遮水膜６は、図２に示す如く、全一体の成型品でもよいが、必ずしも一体形成のものでなくてもよく、図４に示す如く、金属、合成樹脂、ゴム等の棒状もしくは管状の２本の芯材８に上記した遮水膜６と同様の一枚のシート９で巻いて係止部７を形成して上記の幅にし、シート９の端部を接着や係止具等で止めた構造としてもよい。なお、この芯材８にシート９を巻いた構造はどのような構造でもよく、芯材８に巻いた基部を芯材８を包むようにして接着や係止具等で止めてもよく、止めてなくてもよい。したがって、図示する如く、シート９が二重となるが、図５に示す如く、両端部をそれぞれ芯材８に巻いてそれぞれ止めて係止部７を形成した一重の構造でもよい。
【００１２】
このようにした遮水膜６は、現場に設置された対向する両ケーソン１のそれぞれの溝３に上方から係止部７を差し込むようにして嵌めることにより取り付けることができる。このとき、遮水膜６は目地幅より十分に広いために余裕がある状態で設置される。
このようにして図１に示す如く、目地の前後両方もしくは一方に遮水膜６を取り付けた後、その目地間にアスファルト混合材等の不透水性材料からなる充填材１０を充填すると共に溝３内にも芯材８との隙間に充填する。
【００１３】
以上の構成によると、ケーソン間の目地は遮水膜６と溝３内の充填材１０とによって遮水されるが、目地間に充填した充填材１０の圧力によって遮水膜６の係止部７の基部が開口４に引っ張られるようにして押し付けられて遮水効果が高まる。
そこで、不等沈下等によってケーソン１が移動して目地間隔に変位が生じた場合、その変位に対して遮水膜６のたるみで対応することができ、遮水性能は維持できる。
【００１４】
なお、上記説明は溝をケーソン１の本体内に形成した場合で説明したが、図６に示す如く、内側および／もしくは外側の壁に形成してもよい。
また、図１１に示す如く、遮水膜６の余裕分を一箇所に寄せた状態としてもよく、図１２に示す如く、余裕分を充填材１０内に埋設するようにしてもよい。要するに、遮水膜６の余裕分はどのように処理されていてもよい。
【００１５】
さらに、溝は鋼管等を用い、スリットをあけた溝体３を後付けとしてもよく、図７に示す如く、ケーソンの対向壁や外側の壁に突出させて取り付けてもよい。取り付けた溝体３に上記遮水膜６を嵌めて充填材１０を充填すればよい。この場合には既存のケーソンにも取り付けて対応することができる。
また、鋼製のケーソンにおいても溝体３を取り付けることによって上記同様に対応することができる。
【００１６】
第２実施例
本実施例は、遮水膜の他の形態例であり、図８は要部拡大説明図である。
本実施例は、遮水膜６を多重構造としたものであり、目地の間に注入した充填材１０の圧力に対応する受圧膜１１とその外側に受圧膜１１より幅を広くして目地間隔の変位に対応する変位膜１２とからなり、両端部には上記第１実施例と同様に両側に沿って係止部７が形成されている。
【００１７】
図示する如く、変位膜１２は受圧膜１１より幅が広く、通常時は、受圧膜１１が充填材１０の圧力を受けており、変位膜１２には荷重はかからない。そこで、ケーソン１が不等沈下等によって移動して目地間隔に変位が生じた場合、小さな変位は受圧膜１１で対応することができるが、受圧膜１１で対応することができない程度の変位量となったときに受圧膜１１は破断するが、変位膜１２によって遮水機能が保持される。したがって、変位膜１２の幅は、予想される変位量に対応できる幅としておく。
【００１８】
その具体的構造は、図８に示す如く、全一体の成型品でもよいが、本実施例も上記第１実施例と同様に、必ずしも一体形成のものでなくてもよく、図９に示す如く、金属、合成樹脂、ゴム等の棒状もしくは管状の２本の芯材８に上記遮水膜６と同様の一枚のシート９で巻いて係止部７を形成して上記の幅にし、シート９の端部を接着や係止具等で止めた構造としてもよい。なお、この芯材８にシート９を巻いた構造の芯材８に巻いた基部を芯材８を包むようにして接着や係止具等で止めることによって受圧膜１１とその外側に目地間隔の変位に対応する変位膜１２を形成する。その形成の際に、図示する如く、受圧膜１１と変位膜１２の幅を決める。
【００１９】
また、図１０に示す如く、２本の芯材８に受圧膜１１か変位膜１２のどちらか一方の両端部をそれぞれ芯材８に巻いて接着材や係止具で止めて係止部７を形成する際に、他方の変位膜１２か受圧膜１１の端部を同時に止めて全一体としてもよい。
なお、この受圧膜１１と変位膜１２の材料は上記第１実施の形態例と同様でよい。また、受圧膜１１と変位膜１２とを変えてもよく。例えばその厚さや材質さらには埋設した応力材の積層条件等を変えてもよい。
【００２０】
このようにした遮水膜６は、上記第１実施例と同様に現場に設置された対向する両ケーソン１のそれぞれの溝３に上方から係止部７を差し込むようにして嵌めることにより取り付けることができる。
このようにして目地の前後両方もしくは一方に遮水膜６を取り付けた後、その目地間にアスファルト混合材等の不透水性材料からなる充填材１０を充填すると共に溝３内にも芯材８との隙間に充填しておく。
【００２１】
以上の構成によると、ケーソン間の目地は遮水膜６と溝３内の充填材１０とによって遮水されるが、目地間に充填した充填材１０の圧力によって遮水膜６の受圧膜１１が押圧され、それによって係止部７の基部が開口４に引っ張られるようにして押し付けられて遮水効果が高まる。
そこで、ケーソン１が不等沈下等によって移動して目地間隔に変位が生じた場合、初期の段階では受圧膜１１のたるみによってその変位に対して対応することができ、遮水性能が維持できる。さらに変位が進んで受圧膜１１では対応することができない程度の変位量となったときには受圧膜１１はその一部もしくは全部が破断するが、変位膜１２によってその遮水機能が保持される。
【００２２】
このような作用をする変位膜１２は図示したような一重だけでなく二重以上にしてもよく、またそれらの幅を変えて、それぞれが順次広がる変位量に対応する構造としてもよい。  また、本実施例においても、溝の位置は図示した位置に限るものではなく、上記第１実施例と同様に壁のどの位置でもよい。  また、上記同様にケーソンの材質もコンクリート製に限らず鋼鉄とコンクリ−トを合成して用いたようなハイブリッド製でも対応することができる。
【図面の簡単な説明】
【００２３】
【図１】第１実施例の平面説明図
【図２】要部拡大説明図
【図３】遮水膜の膜材例を示す断面説明図
【図４】遮水膜の他の構造例を示す断面説明図
【図５】遮水膜の他の構造例を示す断面説明図
【図６】遮水膜の他の取り付け例を示す断面説明図
【図７】溝の他の構造例を示す断面説明図
【図８】第２実施例の要部拡大説明図
【図９】遮水膜の他の構造例を示す断面説明図
【図１０】遮水膜の他の構造例を示す断面説明図
【図１１】遮水膜の他の取り付け例を示す断面説明図
【図１２】遮水膜の他の取り付け例を示す断面説明図
【符号の説明】
【００２４】
１  ケーソン
２  側壁
３  溝
４  開口
５  パイプ
６  遮水膜
６ａ  応力材
７  係止部
８  芯材
９  シート
１０  充填材
【図１】
2005146659.tif 000003
【図２】
2005146659.tif 000004
【図３】
2005146659.tif 000005
【図４】
2005146659.tif 000006
【図５】
2005146659.tif 000007
【図６】
2005146659.tif 000008
【図７】
2005146659.tif 000009
【図８】
2005146659.tif 000010
【図９】
2005146659.tif 000011
【図１０】
2005146659.tif 000012
【図１１】
2005146659.tif 000013
【図１２】
2005146659.tif 000014